(57)【要約】【課題】  コンパクトなデバイスサイズで高品質なイメージデータを作成することこと。【解決手段】  多機能機１０は、原稿９０がセットされる透明板３２と、光源６０と、透明板３２の下方に配置されている２つのＤＳユニット４０，５０を備える。透明板３２を平面視した場合に、２つのＤＳユニット４０，５０は、互いにオフセットされているとともに、透明板３２に重複している。２つのＤＳユニット４０，５０のそれぞれは、原稿９０からの反射光がダイレクトに入射されるとともに当該入射光から原稿９０の撮影データを作成する。２つのＤＳユニット４０，５０は、部分的に重複する撮影データを作成する。多機能機１０は、２つのＤＳユニット４０，５０によって作成された撮影データを合成することによって、原稿９０のイメージデータを作成する。【選択図】  図５
2009246620.tif 000002
【特許請求の範囲】
【請求項１】
対象物のイメージデータを作成するイメージデータ作成装置であり、
前記対象物がセットされる第１面と、当該第１面の反対面である第２面とを有する透明板と、
前記対象物に光を照射する光照射手段と、
透明板の前記第２面の側に配置されている複数のデジタルカメラ手段と、
撮影データ合成手段とを備えており、
透明板が広がる平面を垂直に見た場合に、前記複数のデジタルカメラ手段は、互いにオフセットされているとともに、透明板に重複しており、
前記複数のデジタルカメラ手段のそれぞれは、前記対象物からの反射光がダイレクトに入射されるとともに当該入射光から前記対象物の撮影データを作成し、
隣り合う２つのデジタルカメラ手段は、部分的に重複する撮影データを作成し、
撮影データ合成手段は、前記複数のデジタルカメラ手段によって作成された複数の撮影データを合成することによって、前記対象物のイメージデータを作成する
ことを特徴とするイメージデータ作成装置。
【請求項２】
第１イメージデータ作成手段と第２イメージデータ作成手段とをさらに備えており、
１又は複数のデジタルカメラ手段によって構成される第１デジタルカメラ装置は、所定サイズの長方形の対象物が透明板の所定位置にセットされた場合に、その対象物の長辺の中間位置より一方側の全域を含む第１撮影データを作成し、
１又は複数のデジタルカメラ手段によって構成される第２デジタルカメラ装置は、前記所定サイズの長方形の対象物が透明板の前記所定位置にセットされた場合に、その対象物の長辺の中間位置より他方側の全域を含む、前記第１撮影データと異なる第２撮影データを作成し、
第１イメージデータ作成手段は、前記第１撮影データに基づいて、前記所定サイズの長方形の対象物の長辺の中間位置より一方側のイメージデータを作成し、
第２イメージデータ作成手段は、前記第２撮影データに基づいて、前記所定サイズの長方形の対象物の長辺の中間位置より他方側のイメージデータを作成する
ことを特徴とする請求項１に記載のイメージデータ作成装置。
【請求項３】
第１イメージデータ作成手段は、前記第１撮影データに含まれる前記所定サイズの長方形の対象物の一方の短辺を基準位置とした場合に、当該基準位置と当該基準位置から所定距離だけ他方の短辺の側に進んだ位置との間の部分のみを含む一方側のイメージデータを作成し、
第２イメージデータ作成手段は、前記第２撮影データに含まれる前記所定サイズの長方形の対象物の前記他方の短辺を基準位置とした場合に、当該基準位置と当該基準位置から前記所定距離だけ前記一方の短辺の側に進んだ位置との間の部分のみを含む他方側のイメージデータを作成し、
前記所定距離は、前記所定サイズの長方形における長辺の半分の長さに設定されている
ことを特徴とする請求項２に記載のイメージデータ作成装置。
【請求項４】
第１イメージデータ作成手段によって作成されたイメージデータと第２イメージデータ作成手段によって作成されたイメージデータとのそれぞれを前記所定サイズに拡大するサイズ拡大手段をさらに備えている
ことを特徴とする請求項２又は３に記載のイメージデータ作成装置。
【請求項５】
モードを選択することを許容するモード選択許容手段をさらに備えており、
モード選択許容手段で第１モードが設定された場合に、撮影データ合成手段は、前記第１撮影データと前記第２撮影データとを合成することによって、前記所定サイズの長方形の対象物のイメージデータを作成し、
モード選択許容手段で第２モードが設定された場合に、第１イメージデータ作成手段は、前記所定サイズの長方形の対象物の長辺の中間位置より一方側のイメージデータを作成し、第２イメージデータ作成手段は、前記所定サイズの長方形の対象物の長辺の中間位置より他方側のイメージデータを作成する
ことを特徴とする請求項２から４のいずれかに記載のイメージデータ作成装置。
【発明の詳細な説明】
【技術分野】
【０００１】
本発明は、対象物のイメージデータを作成する装置に関する。
【背景技術】
【０００２】
下記の特許文献１には、原稿のイメージデータを作成する装置が開示されている。このイメージデータ作成装置は、原稿が載置される透明板と、原稿に向けて光を照射する照明装置と、原稿の反射光をさらに反射させる第１ミラーと、第１ミラーの反射光をさらに反射させる第２ミラーと、第２ミラーの反射光が入射される１つのエリアイメージセンサとを備える。エリアイメージセンサは、複数の撮像素子が二次元に配置されているものであり、デジタルカメラ等において広く用いられている。このイメージデータ作成装置は、透明板とエリアイメージセンサとの間に２つのミラーを挿入している。このために、原稿とエリアイメージセンサとの間の物理的な距離を小さくしながらも、それらの間の光学的な距離を大きくすることができる。コンパクトなデバイスサイズでありながら、大きなサイズの原稿を撮影してイメージデータを作成することができる。
【０００３】
【特許文献１】特開２００６−３３３１６２号公報
【発明の開示】
【発明が解決しようとする課題】
【０００４】
上記の特許文献１の技術では、原稿の反射光をミラーによってさらに反射させる方式を利用している。この方式では、ミラーの歪等の影響を受けざるを得ないために、イメージデータの質が低下してしまう。そこで、ミラーを利用しないで原稿をダイレクトに撮影する方式を採用することも考えられる。しかしながら、このような構成によれば、原稿とエリアイメージセンサとの間の物理的な距離を大きくせざるを得ない。この場合、デバイスが大型化してしまう。
【０００５】
本明細書では、コンパクトなデバイスサイズで高品質なイメージデータを作成することができるイメージデータ作成装置を提供する。
【課題を解決するための手段】
【０００６】
本明細書によって開示される技術は、対象物のイメージデータを作成するイメージデータ作成装置である。このイメージデータ作成装置は、透明板と光照射手段と複数のデジタルカメラ手段と撮影データ合成手段とを備える。「対象物」は、例えば、原稿のような紙媒体であってもよいし、それ以外の物体であってもよい。
【０００７】
透明板は、対象物がセットされる第１面と、第１面の反対面である第２面とを有する。光照射手段は、対象物に光を照射する。光照射手段は、透明板の第２面の側に配置されてもよいし、透明板とほぼ同じ高さに配置されてもよい。また、透明板自体に光照射機能を持たせてもよい。
【０００８】
複数のデジタルカメラ手段は、透明板の第２面の側に配置されている。透明板が広がる平面を垂直に見た場合に、複数のデジタルカメラ手段は、互いにオフセットされているとともに、透明板に重複している。複数のデジタルカメラ手段のそれぞれは、対象物からの反射光がダイレクトに入射されるとともに入射光から対象物の撮影データを作成する。「ダイレクトに入射される」という用語は、透明板（対象物）とデジタルカメラ手段との間にミラー等の光反射手段を挿入しないことを意味する。なお、各デジタルカメラ手段は、同じサイズの撮影範囲を有していてもよいし、異なるサイズの撮影範囲を有していてもよい。
【０００９】
隣り合う２つのデジタルカメラ手段は、部分的に重複する撮影データを作成する。例えば、２つのデジタルカメラ手段のみが存在する場合、一方のデジタルカメラ手段と他方のデジタルカメラ手段は、隣り合うことになり、部分的に重複する撮影データを作成する。また、例えば、３つのデジタルカメラ手段が直線上に並んでいる場合、両側のデジタルカメラ手段は隣り合うことにならず、一方側のデジタルカメラ手段と中央のデジタルカメラ手段は隣り合うことになり、中央のデジタルカメラ手段と他方側のデジタルカメラ手段は隣り合うことになる。また、例えば、直角四角形の各頂点を形成するような位置関係に４つのデジタルカメラ手段が配置されている場合、４つのデジタルカメラ手段のそれぞれが、他の３つのデジタルカメラ手段と隣り合うことになる。「隣り合う２つのデジタルカメラ手段が、部分的に重複する撮影データを作成する」という用語は、「透明板の露出部分の全域に配置されている対象物が存在する場合、複数のデジタルカメラ手段は、共同して前記対象物を隙間なく撮影することが可能である」と言い換えることもできる。
【００１０】
撮影データ合成手段は、複数のデジタルカメラ手段によって作成された複数の撮影データを合成することによって、対象物のイメージデータを作成する。即ち、撮影データ合成手段は、部分的に重複している複数の撮影データを合成し、対象物の１つのイメージデータを作成する。
【００１１】
上記のイメージデータ作成装置では、各デジタルカメラ手段がミラー等を介することになくダイレクトに対象物を撮影する。このために、高品質のイメージデータを作成することができる。また、複数のデジタルカメラ手段が互いにオフセットされているために、各デジタルカメラ手段が異なる撮影範囲を有する。即ち、このイメージデータ作成装置では、各デジタルカメラ手段が共同して対象物の全体を撮影することになる。１つのデジタルカメラ手段が対象物の全体を撮影するわけではないために、対象物とデジタルカメラ手段との間の距離（焦点距離）を小さくすることができる。この結果、コンパクトなデバイスサイズを実現することができる。このイメージデータ作成装置は、コンパクトなデバイスサイズで高品質なイメージデータを作成することができる。
【００１２】
長方形状を有する所定サイズの対象物の長辺の中間位置より一方側のイメージデータと他方側のイメージデータを別個に作成することが求められることがある。例えば、Ａ３サイズは、２つのＡ４サイズによって構成される。２ページ分のＡ４サイズのデータが１ページのＡ３サイズに印刷されている印刷媒体が対象物である場合、その対象物から２つのＡ４サイズのイメージデータを作成することが求められることがある。複数の撮影データを合成して対象物の１つのイメージデータを作成した後に、そのイメージデータを分割すれば、対象物の長辺の中間位置より一方側のイメージデータと他方側のイメージデータを別個に作成することができる。この場合、撮影データを合成して分割する必要があるために、処理の負荷が大きい。撮影データを合成しないで上記の２つのイメージデータを作成するために、以下の構成を採用してもよい。
【００１３】
イメージデータ作成装置は、第１イメージデータ作成手段と第２イメージデータ作成手段とをさらに備えていてもよい。１又は複数のデジタルカメラ手段によって構成される第１デジタルカメラ装置は、所定サイズの長方形の対象物が透明板の所定位置にセットされた場合に、その対象物の長辺の中間位置より一方側の全域を含む第１撮影データを作成してもよい。また、１又は複数のデジタルカメラ手段によって構成される第２デジタルカメラ装置は、上記の所定サイズの長方形の対象物が透明板の前記所定位置にセットされた場合に、その対象物の長辺の中間位置より他方側の全域を含む、第１撮影データと異なる第２撮影データを作成してもよい。第１イメージデータ作成手段は、第１撮影データに基づいて、上記の所定サイズの長方形の対象物の長辺の中間位置より一方側のイメージデータを作成してもよい。第２イメージデータ作成手段は、第２撮影データに基づいて、上記の所定サイズの長方形の対象物の長辺の中間位置より他方側のイメージデータを作成してもよい。この構成によると、上記の所定サイズの長方形の対象物の長辺の中間位置より一方側のイメージデータと他方側のイメージデータを別個に作成することができる。しかも、撮影データを合成する必要がない。
【００１４】
第１イメージデータ作成手段は、第１撮影データに含まれる上記の所定サイズの長方形の対象物の一方の短辺を基準位置とした場合に、当該基準位置と当該基準位置から所定距離だけ他方の短辺の側に進んだ位置との間の部分のみを含む一方側のイメージデータを作成してもよい。第１イメージデータ作成手段は、上記の部分を第１撮影データから取り出すことによってイメージデータを作成してもよいし、上記の部分以外の部分を第１撮影データから除去することによってイメージデータを作成してもよい。また、第２イメージデータ作成手段は、第２撮影データに含まれる上記の所定サイズの長方形の対象物の他方の短辺を基準位置とした場合に、当該基準位置と当該基準位置から上記の所定距離だけ一方の短辺の側に進んだ位置との間の部分のみを含む他方側のイメージデータを作成してもよい。第２イメージデータ作成手段は、上記の部分を第２撮影データから取り出すことによってイメージデータを作成してもよいし、上記の部分以外の部分を第１撮影データから除去することによってイメージデータを作成してもよい。なお、この構成の場合、上記の所定距離は、上記の所定サイズの長方形における長辺の半分の長さに設定されている。
【００１５】
なお、第１イメージデータ作成手段が上記の基準位置（対象物の一方の短辺）を特定する手法は特に限定されない。例えば、対象物が透明板の所定位置にセットされると撮影データの端部と対象物の一方の短辺とが一致する場合には、撮影データの上記の端部を基準位置としてもよい。また、例えば、対象物の一方の短辺を超えた外側の範囲を含む撮影データが作成される場合、撮影データの端部から予め決められている所定値だけ内側に進んだ位置を基準位置として特定してもよい。また、例えば、透明板にセットされた対象物をカバーする部材が所定色のカバー面を有している場合、上記の所定色の部分とそれ以外の色の部分との境界を特定することによって、撮影データ内での対象物の一方の短辺の位置を特定することができる。このように対象物の一方の短辺の位置を正確に特定することができる構成であると、その短辺を基準位置としてイメージデータを作成する上記の手法が特に有効になる。即ち、予め決められた位置（上記の所定位置）からずれて対象物が配置された場合でも、対象物の一方の短辺を基準位置として、対象物の長辺の中間位置を特定することができる。このために、対象物の一方の短辺と長辺の中間位置との間のイメージデータを作成することができる。なお、第１イメージデータ作成手段の場合と同様に、第２イメージデータ作成手段も、様々な手法を利用して基準位置（対象物の他方の短辺）を特定することができる。
【００１６】
第１イメージデータ作成手段によって作成されたイメージデータと第２イメージデータ作成手段によって作成されたイメージデータとのそれぞれを上記の所定サイズに拡大するサイズ拡大手段をさらに備えていてもよい。この構成によると、例えば、Ａ３サイズの対象物から２つのＡ４サイズのイメージデータが作成された後に、それらのＡ４サイズのイメージデータのそれぞれからＡ３サイズのイメージデータを作成することができる。
【００１７】
イメージデータ作成装置は、モードを選択することを許容するモード選択許容手段をさらに備えていてもよい。モード選択許容手段で第１モードが設定された場合に、撮影データ合成手段は、第１撮影データと第２撮影データとを合成することによって、上記の所定サイズの長方形の対象物のイメージデータを作成してもよい。一方において、モード選択許容手段で第２モードが設定された場合に、第１イメージデータ作成手段は、上記の所定サイズの長方形の対象物の長辺の中間位置より一方側のイメージデータを作成し、第２イメージデータ作成手段は、上記の所定サイズの長方形の対象物の長辺の中間位置より他方側のイメージデータを作成してもよい。この構成によると、ユーザの意図に応じてイメージデータを作成することができる。
【発明を実施するための最良の形態】
【００１８】
ここでは、以下の実施例に記載の技術の特徴の一部をまとめておく。
（形態１）複数のデジタルカメラ手段は、２つのデジタルカメラ手段であってもよい。透明板は、長方形状を有していてもよい。一方のデジタルカメラ手段は、透明板の長辺の中間位置より一方側に配置されていてもよい。他方のデジタルカメラ手段は、透明板の長辺の中間位置より他方側に配置されていてもよい。
【００１９】
（形態２）一方のデジタルカメラ手段と他方のデジタルカメラ手段は、透明板の短辺方向において同じ位置に配置されていてもよい。また、一方のデジタルカメラ手段と他方のデジタルカメラ手段は、透明板からの距離が同じであってもよい。一方のデジタルカメラ手段と他方のデジタルカメラ手段は、同じサイズの撮影可能範囲を有していてもよい。
【００２０】
（形態３）透明板が広がる平面を垂直に見た場合に、複数のデジタルカメラ手段のそれぞれは、当該デジタルカメラ手段の撮影可能範囲の中心に位置していてもよい。
【００２１】
（形態４）複数のデジタルカメラ手段のそれぞれは、対象物からの反射光がダイレクトに入射されるとともに当該入射光から対象物の像を形成する光学系と、当該光学系によって形成された像を電気信号に変換することによって撮影データを作成するエリアイメージセンサとを有していてもよい。
【００２２】
（形態５）複数のデジタルカメラ手段は、光照射手段による１回の光の照射に応じて、同時に撮影データを作成してもよい。
【００２３】
（形態６）イメージデータ作成装置は、撮影データ合成手段によって作成されたイメージデータを出力する出力手段がさらに付加されていてもよい。この「出力」は、印刷すること、表示すること、他のデバイスに送信すること等を含む。
【００２４】
（形態７）イメージデータ作成装置は、１つのデジタルカメラ手段の撮影可能範囲に収まる対象物のイメージデータを作成すべき場合には、当該デジタルカメラ手段によって撮影された撮影データのみを所定のメモリに記憶させる。この撮影データのみから対象物のイメージデータが作成される。この構成を実現するために、イメージデータ作成装置は、上記の１つのデジタルカメラ手段のみを起動し、他のデジタルカメラ手段を起動しなくてもよい。
【００２５】
（形態８）イメージデータ作成装置は、透明板の第１面を覆うカバー部材をさらに備えていてもよい。カバー部材の透明板側の面は、所定の色を有していてもよい。第１イメージデータ作成手段は、一方のデジタルカメラ手段によって作成された撮影データから上記の所定の色とそれ以外の色との境界を特定することによって、上記の所定サイズの長方形の対象物の一方の短辺を特定してもよい。第２イメージデータ作成手段は、他方のデジタルカメラ手段によって作成された撮影データから上記の所定の色とそれ以外の色との境界を特定することによって、上記の所定サイズの長方形の対象物の他方の短辺を特定してもよい。
【実施例】
【００２６】
図面を参照して実施例を説明する。図１は、本実施例の多機能機１０の外観構成を示す。本実施例では、多機能機１０の左右方向をＸ方向とし、多機能機１０の奥行き方向をＹ方向とし、多機能機１０の高さ方向をＺ方向とする。また、図中の矢印の方向をプラス方向として説明する。例えば、多機能機１０の右方向がプラスＸ方向であり、左方向がマイナスＸ方向である。多機能機１０は、印刷機能、イメージデータ作成機能、コピー機能等を有する。
【００２７】
（多機能機の外観構成）
多機能機１０は、ケーシング１２とトレイ１６，１８と操作部２０と表示部２２とカバー３０と透明板３２等を備える。ケーシング１２の前面１２ａに開口１４が形成されている。トレイ１６，１８は、開口１４からケーシング１２の内部に挿入される。トレイ１８は、印刷前の印刷媒体を保持する給紙トレイである。トレイ１６は、印刷後の印刷媒体を保持する排紙トレイである。操作部２０と表示部２２は、ケーシング１２の上部に配置されている。操作部２０は、複数のキーを有する。ユーザは、操作部２０を操作することによって、様々な指示や情報を多機能機１０に入力することができる。表示部２２は、様々な情報を表示することができる。カバー３０は、例えばヒンジ等を介してケーシング１２に接続されている。図１では、カバー３０が閉じられている状態を示す。
【００２８】
図２は、カバー３０が開かれている状態を示す。カバー３０が開かれると、透明板３２が露出する。透明板３２は、ケーシング１２の上部に形成されている枠体１２ｂに取り付けられている。透明板３２は、Ｘ方向に長い長方形状を有する。透明板３２の露出部分は、Ａ３サイズを有する。即ち、枠体１２ｂの開口は、Ａ３サイズを有する。カバー３０は、透明板３２より大きく、透明板３２の全域を覆うことができる。
【００２９】
（透明板とデジタルカメラユニットの配置構成）
図３は、透明板３２の平面図を示す。なお、図３の実線で示された領域は、透明板３２の露出部分である。以下では、図３の実線で示された領域のことを「透明板３２の露出部分」と記載せずに、単に「透明板３２」と記載する。符号ＸＳは、透明板３２の左端（左側の短辺）のＸ座標を示す。符号ＸＥは、透明板３２の右端（右側の短辺）のＸ座標を示す。符号ＸＭは、ＸＳとＸＥの中間位置のＸ座標を示す。また、符号ＹＳは、透明板３２の手前側の端部（手前側の長辺）のＹ座標を示す。符号ＹＥは、透明板３２の奥側の端部（奥側の長辺）のＹ座標を示す。符号ＹＭは、ＹＳとＹＥの中間位置のＹ座標を示す。
【００３０】
多機能機１０は、デジタルカメラユニット４０，５０を備える。以下では、デジタルカメラユニット４０のことを第１ＤＣユニット４０と呼び、デジタルカメラユニット５０のことを第２ＤＣユニット５０と呼ぶ。第１ＤＣユニット４０と第２ＤＣユニット５０は、透明板３２の下方に配置されている。透明板３２を平面視した状態（図３）では、第１ＤＣユニット４０と第２ＤＣユニット５０は、透明板３２に重複している。さらに、透明板３２を平面視した状態では、第１ＤＣユニット４０と第２ＤＣユニット５０は、オフセットされている。より具体的に言うと、第１ＤＣユニット４０と第２ＤＣユニット５０は、Ｘ方向にオフセットされている。第１ＤＣユニット４０は、透明板３２の長辺の中間位置ＸＭより左方に配置されている。より具体的に言うと、第１ＤＣユニット４０は、ＸＭとＸＳの中間位置に配置されている。第２ＤＣユニット５０は、透明板３２の長辺の中間位置ＸＭより右方に配置されている。より具体的に言うと、第２ＤＣユニット５０は、ＸＭとＸＥの中間位置に配置されている。
【００３１】
Ｙ方向においては、第１ＤＣユニット４０と第２ＤＣユニット５０は、同じ位置に配置されている。より具体的に言うと、第１ＤＣユニット４０と第２ＤＣユニット５０は、ＹＳとＹＥの中間位置ＹＭに配置されている。なお、Ｚ方向（高さ方向）においても、第１ＤＣユニット４０と第２ＤＣユニット５０は、同じ位置に配置されている。この様子は、図５を参照しながら説明する。
【００３２】
図５は、図３の矢印Ｖ方向に見た図を示す。即ち、透明板３２と各ＤＣユニット４０，５０の正面図を示す。図５に示されるように、透明板３２と第１ＤＣユニット４０の間の距離と、透明板３２と第２ＤＣユニット５０の間の距離とは等しい（距離ＺＨ）。透明板３２は、所定の厚みを有しており、表面３２ａと裏面３２ｂを有する。透明板３２の裏面３２ｂの側に、第１ＤＣユニット４０と第２ＤＣユニット５０が配置されている。
【００３３】
第１ＤＣユニット４０と第２ＤＣユニット５０は、透明板３２に載置された対象物（例えば原稿）を撮影して撮影データを作成する。図３の一点鎖線で囲まれた領域４２が、第１ＤＣユニット４０の撮影可能範囲である。図３から明らかなように、撮影可能範囲４２は、透明板３２を越えて外側に広がっている。より具体的に言うと、撮影可能範囲４２は、ＹＳを越えて手前側に広がっており、ＹＥを越えて奥側に広がっており、ＸＳを越えて左側に広がっている。また、撮影可能範囲４２は、ＸＭを越えて右側に広がっている。撮影可能範囲４２の中心に第１ＤＣユニット４０が位置している。また、二点鎖線で囲まれた領域５２が、第２ＤＣユニット５０の撮影可能範囲である。撮影可能範囲５２は、撮影可能範囲４２と同じサイズを有する。撮影可能範囲５２は、透明板３２を越えて外側に広がっている。より具体的に言うと、撮影可能範囲５２は、ＹＳを越えて手前側に広がっており、ＹＥを越えて奥側に広がっており、ＸＥを越えて右側に広がっている。また、撮影可能範囲５２は、ＸＭを越えて左側に広がっている。撮影可能範囲５２の中心に第２ＤＣユニット５０が位置している。
【００３４】
符号Ｙ１は、２つの撮影可能範囲４２，５２の手前側の端部のＹ座標を示す。符号Ｙ２は、２つの撮影可能範囲４２，５２の奥側の端部のＹ座標を示す。符号ＸＬ１は、撮影可能範囲４２の左側の端部のＸ座標を示す。符号ＸＬ２は、撮影可能範囲４２の右側の端部のＸ座標を示す。符号ＸＲ１は、撮影可能範囲５２の左側の端部のＸ座標を示す。符号ＸＲ２は、撮影可能範囲５２の右側の端部のＸ座標を示す。撮影可能範囲４２と撮影可能範囲５２は、部分的に重複している。より具体的に言うと、撮影可能範囲４２と撮影可能範囲５２は、Ｘ方向に重複している。
【００３５】
（多機能機の全体構成）
図４は、多機能機１０の構成を簡単に示す。多機能機１０は、上述した各デバイス２０，２２，４０，５０以外に、制御部２４と光源６０と印刷部６２と記憶部７０を備える。制御部２４は、記憶部７０に記憶されているプログラムに従って、多機能機１０の各デバイスを統括的に制御する。制御部２４が実行する処理の内容は後で詳しく説明する。光源６０は、透明板３２の下方に配置されている（図５参照）。図３を見るとわかるように、光源６０は、第１ＤＣユニット４０と第２ＤＣユニット５０の間に配置されている。光源６０は、透明板３２の中心に配置されている。光源６０は、上方に向かって（透明板３２の裏面３２ｂに向かって）光を照射することができる。印刷部６２は、印刷媒体を給紙トレイ１８から排紙トレイ１６まで搬送するための機構と、印刷媒体に印刷するための印刷機構とを有する。
【００３６】
記憶部７０は、ＲＯＭ、ＥＥＰＲＯＭ、ＲＡＭ等によって構成されている。記憶部７０は、プログラム記憶領域７２と第１撮影データ記憶領域７４と第２撮影データ記憶領域７６とイメージデータ記憶領域８０とその他の記憶領域８２等を有する。プログラム記憶領域７２は、制御部２４によって実行されるプログラムを記憶している。第１撮影データ記憶領域７４は、第１ＤＣユニット４０によって撮影された撮影データを記憶する。第２撮影データ記憶領域７６は、第２ＤＣユニット５０によって撮影された撮影データを記憶する。イメージデータ記憶領域８０は、第１ＤＣユニット４０と第２ＤＣユニット５０によって撮影された２つの撮影データが合成されたイメージデータを記憶する。また、イメージデータ記憶領域８０は、他の種類のイメージデータを記憶することもできる。この点については、後で詳しく説明する。
【００３７】
第１ＤＣユニット４０は、レンズ等の光学系４４と、エリアイメージセンサ４６（以下では「ＡＩＳ」と呼ぶ）とを有する。透明板３２に載置された対象物の反射光（光源６０からの光の反射光）が光学系４４にダイレクトに入射される。光学系４４は、入射光から光学像をＡＩＳ４６上に結像する。ＡＩＳ４６は、二次元に配置されている（ＸＹ平面上を広がるように配置されている）複数の撮像素子を有する。ＡＩＳ４６は、光学系４４によって形成された光学像を電気信号に変換する。これにより、撮影データが作成される。ＡＩＳ４６によって作成された撮影データは、第１撮影データ記憶領域７４に記憶される。第１ＤＣユニット４０と同様に、第２ＤＣユニット５０も、光学系５４とＡＩＳ５６とを有する。ＡＩＳ５６によって作成された撮影データは、第２撮影データ記憶領域７６に記憶される。
【００３８】
（モードの説明）
ユーザは、操作部２０を操作することによって、複数のモードの中から１つのモードを選択することができる。例えば、ユーザは、イメージデータ作成モードとコピーモードの中から１つのモードを選択することができる。イメージデータ作成モードが選択された場合、イメージデータが作成される。コピーモードが選択された場合、イメージデータが作成され、そのイメージデータが印刷媒体に印刷される。どちらのモードが選択されても、イメージデータが作成される。以下では、イメージデータを作成する処理を中心に説明する。
【００３９】
ユーザは、イメージデータ作成モードを選択した場合、複数のモードの中から１つのモードをさらに選択することができる。本実施例では、以下の４つのモードを採用している。図９を参照すると、各モードの内容を理解しやすい。図９では、対象物を左側に示しており、対象物から作成されるイメージデータを右側に示している。
【００４０】
（１）Ａ３−Ａ３モード；このモードは、Ａ３サイズの対象物からＡ３サイズのイメージデータを作成するためのモードである。図９の例では、文字「Ａ」を含むＡ３サイズの原稿から、文字「Ａ」を含むＡ３サイズのイメージデータが作成されている。
【００４１】
（２）Ａ３−Ａ３×２モード；このモードは、Ａ３サイズの対象物からＡ３サイズの２つのイメージデータを作成するためのモードである。即ち、Ａ３サイズの対象物の長辺の中間位置より一方側に対応するＡ３サイズのイメージデータと、その中間位置より他方側に対応するＡ３サイズのイメージデータとを作成するためのモードである。図９の例では、Ａ３サイズの原稿の左半分に文字「Ａ」が含まれており、右半分に文字「Ｂ」が含まれている。原稿の左半分の文字「Ａ」を含むＡ３サイズのイメージデータが作成され、原稿の右半分の文字「Ｂ」を含むＡ３サイズのイメージデータが作成される。このモードは、特に、Ａ４サイズの２ページ分のデータが１ページのＡ３サイズの印刷媒体に印刷された原稿のイメージデータ（２つのイメージデータ）を作成する際に有効である。なお、次に説明するＡ３−Ａ４×２モードも、このような原稿のイメージデータを作成する際に有効できる。
【００４２】
（３）Ａ３−Ａ４×２モード；このモードは、Ａ３サイズの対象物からＡ４サイズの２つのイメージデータを作成するためのモードである。即ち、Ａ３サイズの対象物の長辺の中間位置より一方側に対応するＡ４サイズのイメージデータと、その中間位置より他方側に対応するＡ４サイズのイメージデータとを作成するためのモードである。図９の例では、原稿の左半分の文字「Ａ」を含むＡ４サイズのイメージデータが作成され、原稿の右半分の文字「Ｂ」を含むＡ４サイズのイメージデータが作成される。
【００４３】
（４）Ａ４−Ａ４モード；このモードは、Ａ４サイズの対象物からＡ４サイズのイメージデータを作成するためのモードである。図９の例では、文字「Ａ」を含むＡ４サイズの原稿から、文字「Ａ」を含むＡ４サイズのイメージデータが作成される。
【００４４】
（Ａ３−Ａ３モード処理）
続いて、制御部２４が実行する処理の内容について説明する。まず、Ａ３−Ａ３モードが選択された場合に制御部２４が実行する処理について説明する。ユーザは、Ａ３サイズの原稿９０（図５参照）の読取面（イメージデータが作成されるべき面）が下を向くようにして、原稿９０を透明板３２の表面３２ａにセットする。上述したように、本実施例の透明板３２の露出部分はＡ３サイズを有しているために、Ａ３サイズの原稿９０がセットされると、透明板３２が見えなくなる。即ち、原稿９０の２つの長辺が透明板３２の２つの長辺に一致するとともに、原稿９０の２つの短辺が透明板３２の２つの短辺に一致する。次いで、ユーザは、操作部２０を操作することによって、Ａ３−Ａ３モードを選択する。これにより、Ａ３−Ａ３モード処理が開始される。
【００４５】
図６は、Ａ３−Ａ３モード処理のフローチャートを示す。制御部２４は、光源６０を発光させる（Ｓ１０）。なお、光源６０を発光させる前に、制御部２４は、ＡＩＳ４６とＡＩＳ５６をＯＮしておく（即ち通電する）。Ｓ１０を実行することにより、光源６０で発光された光が原稿９０で反射する。反射光が、光学系４４，５４に入射される。光学系４４は、入射光から光学像（範囲４２の光学像）をＡＩＳ４６に形成する。光学系５４は、入射光から光学像（範囲５２の光学像）をＡＩＳ５６に形成する。これにより、ＡＩＳ４６が光学像を電気信号に変換するとともに、ＡＩＳ５６が光学像を電気信号に変換する。即ち、第１ＤＣユニット４０と第２ＤＣユニット５０が同時に撮影することになる（Ｓ１２）。制御部２４は、第１ＤＣユニット４０によって撮影された撮影データ（以下では「第１撮影データ」と呼ぶ）を第１撮影データ記憶領域７４に記憶させる。制御部２４は、第２ＤＣユニット５０によって撮影された撮影データ（以下では「第２撮影データ」と呼ぶ）を第２撮影データ記憶領域７６に記憶させる。
【００４６】
次いで、制御部２４は、第１撮影データからマージンを除去するとともに、第２撮影データからマージンを除去する（Ｓ１４）。具体的には以下の処理が実行される。プログラム記憶領域７２には、除去すべきマージンの値が予め記憶されている。図３を参照しながら、マージンの値について説明する。プログラム記憶領域７２は、除去すべきマージンの値として、ＸＬ１とＸＳの間の第１距離と、ＸＲ２とＸＥの間の第２距離と、Ｙ１とＹＳの間の第３距離と、Ｙ２とＹＥの間の第４距離とを記憶している。
【００４７】
制御部２４は、第１撮影データ（図３の範囲４２のデータ）の左端（座標ＸＬ１）と、その左端からプラスＸ方向に第１距離進んだ位置（座標ＸＳ）との間の部分をカットする。また、制御部２４は、第１撮影データの手前側の端部（座標Ｙ１）と、その端部からマイナスＹ方向（図３の上方向）に第３距離進んだ位置（座標ＹＳ）との間の部分をカットする。さらに、制御部２４は、第１撮影データの奥側の端部（座標Ｙ２）と、その端部からプラスＹ方向（図３の下方向）に第４距離進んだ位置（座標ＹＥ）との間の部分をカットする。これにより、第１撮影データのマージン（対象物以外の部分）が除去されることになる。
【００４８】
また、制御部２４は、第２撮影データ（図３の範囲５２のデータ）の右端（座標ＸＲ２）と、その右端からマイナスＸ方向に第２距離進んだ位置（座標ＸＥ）との間の部分をカットする。なお、第２撮影データのＹ方向のマージンをカットする処理は、第１撮影データのＹ方向のマージンをカットする処理と同様である。これにより、第２撮影データのマージン（対象物以外の部分）が除去されることになる。
【００４９】
次いで、制御部２４は、マージンが除去された第１撮影データ及び第２撮影データを合成する（Ｓ１６）。図３に示されるように、範囲４２と範囲５２は部分的に重複する。この重複部分が重なるように、制御部２４は、マージンが除去された第１撮影データ及び第２撮影データを重ね合わせる。なお、重複部分が重なるように２つの撮影データを合成するための手法は、特に限定されない。公知の様々な手法を用いて、２つの撮影データを合成することができる。例えば、特開２００５−７９８１６号公報の技術を利用して、２つの撮影データを合成してもよい。Ｓ１６を実行すると、Ａ３サイズの１つのイメージデータが作成される。制御部２４は、このイメージデータをイメージデータ記憶領域８０に記憶させる（Ｓ１８）。これにより、Ａ３−Ａ３モード処理が終了する。
【００５０】
（Ａ４−Ａ４モード処理）
続いて、Ａ４−Ａ４モードが選択された場合に制御部２４が実行する処理について説明する。ユーザは、Ａ４サイズの原稿の長辺が透明板３２の左側の短辺に一致し、その原稿の２つの短辺が透明板３２の２つの長辺に一致するように、原稿を透明板３２の表面３２ａにセットする。次いで、ユーザは、操作部２０を操作することによって、Ａ４−Ａ４モードを選択する。これにより、Ａ４−Ａ４モード処理が開始される。
【００５１】
制御部２４は、光源６０を発光させる（Ｓ３０）。光源６０を発光させる前に、制御部２４は、ＡＩＳ４６のみをＯＮしておく（ＡＩＳ５６はＯＮされない）。光学系４４は、光学像（範囲４２の光学像）をＡＩＳ４６に形成する。これにより、ＡＩＳ４６が光学像を電気信号に変換する。即ち、第１ＤＣユニット４０が撮影する（Ｓ３２）。制御部２４は、第１ＤＣユニット４０によって撮影された撮影データを第１撮影データ記憶領域７４に記憶させる。
【００５２】
次いで、制御部２４は、上記の撮影データからマージンを除去する（Ｓ３４）。この手法は、上記の図６のＳ１４の処理において第１撮影データからマージンを除去する場合と同様である。次いで、制御部２４は、マージンが除去された撮影データからＡ４サイズの部分のみを残し、他の部分を除去する（Ｓ３６）。具体的には以下の処理を実行する。
【００５３】
プログラム記憶領域７２には、Ａ４サイズの短辺の長さの値（以下では「Ａ４短辺長さ」と呼ぶ）が予め記憶されている。なお、上記の「Ａ４短辺長さ」は、ＤＳユニット４０，５０によって作成される撮影データの解像度に応じて決定される。制御部２４は、マージンが除去された撮影データの左端（即ち原稿の左側の長辺；ＸＳ）を基準位置として、その基準位置からプラスＸ方向にＡ４短辺長さだけ進んだ位置（ＸＭ）を特定する。次いで、制御部２４は、上記の基準位置（ＸＳ）と特定された位置（ＸＭ）の間の部分以外の部分を撮影データからカットする。即ち、制御部２４は、ＸＭとＸＬ２の間の部分をカットする。この結果、Ａ４サイズの１つのイメージデータが作成される。制御部２４は、このイメージデータをイメージデータ記憶領域８０に記憶させる（Ｓ３８）。これにより、Ａ４−Ａ４モード処理が終了する。
【００５４】
（Ａ３−Ａ３×２モード処理）
続いて、Ａ３−Ａ３×２モードが選択された場合に制御部２４が実行する処理について説明する。ユーザは、Ａ３サイズの原稿９０を透明板３２にセットする。次いで、ユーザは、操作部２０を操作することによって、Ａ３−Ａ３×２モードを選択する。これにより、Ａ３−Ａ３×２モード処理が開始される。
【００５５】
図８は、Ａ３−Ａ３×２モード処理のフローチャートを示す。Ｓ５０〜Ｓ５４は、図６のＳ１０〜Ｓ１４と同様である。制御部２４は、マージンが除去された第１撮影データ及び第２撮影データのそれぞれからＡ４サイズのデータを作成する（Ｓ５６）。具体的には以下の処理を実行する。
【００５６】
制御部２４は、マージンが除去された第１撮影データの左端（即ち原稿９０の左側の短辺；ＸＳ）を基準位置として、その基準位置からプラスＸ方向にＡ４短辺長さ（Ａ３の長辺の半分の長さ）だけ進んだ位置（ＸＭ）を特定する。次いで、制御部２４は、上記の基準位置（ＸＳ）と特定された位置（ＸＭ）の間の部分以外の部分を第１撮影データからカットする。即ち、制御部２４は、ＸＭとＸＬ２の間の部分をカットする。この結果、Ａ４サイズの１つのデータが作成される。また、制御部２４は、マージンが除去された第２撮影データの右端（即ち原稿９０の右側の短辺；ＸＥ）を基準位置として、その基準位置からマイナスＸ方向にＡ４短辺長さだけ進んだ位置（ＸＭ）を特定する。次いで、制御部２４は、上記の基準位置（ＸＥ）と特定された位置（ＸＭ）の間の部分以外の部分を第２撮影データからカットする。即ち、制御部２４は、ＸＭとＸＲ１の間の部分をカットする。この結果、Ａ４サイズの１つのデータが作成される。
【００５７】
次いで、制御部２４は、Ｓ５６で作成された２つのデータのそれぞれをＡ３サイズに拡大する（Ｓ５８）。これにより、２つのＡ３サイズのイメージデータが作成される。制御部２４は、２つのイメージデータをイメージデータ記憶領域８０に記憶させる（Ｓ６０）。これにより、Ａ３−Ａ３×２モード処理が終了する。
【００５８】
なお、図８のＡ３−Ａ３×２モード処理においてＳ５８をスキップすれば、Ａ３−Ａ４×２モードを実現することができる。このために、Ａ３−Ａ４×２モード処理についての説明を省略する。
【００５９】
本実施例の多機能機１０では、各ＤＳユニット４０，５０がミラー等を介することになくダイレクトに対象物（例えば原稿９０）を撮影する。このために、高品質のイメージデータを作成することができる。また、多機能機１０では、各ＤＳユニット４０，５０が共同してＡ３サイズの原稿９０を撮影する。１つのＤＳユニットがＡ３サイズの原稿９０の全体を撮影するわけではないために、原稿９０（透明板３２）とＤＳユニット４０，５０との間の距離を小さくすることができる。この結果、コンパクトなデバイスサイズを実現することができる。多機能機１０は、コンパクトなデバイスサイズで高品質なイメージデータを作成することができる。
【００６０】
また、多機能機１０は、Ａ３−Ａ３×２モードやＡ３−Ａ４×２モードの場合、各ＤＳユニット４０，５０の撮影データを合成しないで２つのイメージデータを作成することができる。撮影データを合成した後に合成後のデータを分割する手法と比べて、処理の負荷を少なくすることができるものと考えられる。
【００６１】
（実施例の変形例）
上記の実施例では、撮影データからマージンを除去する際に、予め決められている距離（上記の第１距離等）を利用する。しかしながら、この手法のみならず、以下の手法を採用してもよい。例えば、カバー３０の裏面（透明板３２の側の面）を黒色にしておく。図１０に示されるように、Ａ３サイズの原稿９０が透明板３２に対してずれて配置される可能性がある。図１０では、原稿９０を三点鎖線で示している。この場合、第１ＤＣユニット４０と第２ＤＣユニット５０のそれぞれの撮影データには、原稿９０が載置されていない透明板３２の部分（図１０の斜線部分）として黒色の領域が含まれる。制御部２４は、黒色の部分とそれ以外の色の部分との境界を特定することによって、原稿９０の左側の短辺９０ａの位置と右側の短辺９０ｂの位置を特定することができる。また、制御部２４は、透明板３２に対する原稿９０のずれの角度（撮影データ内での短辺９０ａ，９０ｂの伸びる方向）も特定することができる。
【００６２】
制御部２４は、例えば、Ａ３−Ａ３×２モード処理やＡ３−Ａ４×２モード処理を実行する場合に、以下の処理を実行してもよい。即ち、制御部２４は、第１ＤＳユニット４０によって作成された第１撮影データにおいて、原稿９０の左側の短辺９０ａを基準位置として特定する。次いで、制御部２４は、短辺９０ａから矢印Ｄ１方向にＡ４短辺長さに相当する分だけ進んだ位置を特定する。矢印Ｄ１方向は、短辺９０ａが伸びる方向に垂直の方向である。これにより、制御部２４は、第１撮影データの中から原稿９０の長辺の中間位置を特定することができる。このために、制御部２４は、原稿９０の左側の短辺９０ａと原稿９０の長辺の中間位置との間のイメージデータを作成することができる。また、制御部２４は、第２ＤＳユニット５０によって作成された第２撮影データにおいて、原稿９０の右側の短辺９０ｂを基準位置として特定する。次いで、制御部２４は、短辺９０ｂから矢印Ｄ２方向にＡ４短辺長さに相当する分だけ進んだ位置を特定する。矢印Ｄ２方向は、短辺９０ｂが伸びる方向に垂直の方向である。これにより、制御部２４は、第２撮影データの中から原稿９０の長辺の中間位置を特定することができる。このために、制御部２４は、原稿９０の右側の短辺９０ｂと原稿９０の長辺の中間位置との間のイメージデータを作成することができる。この構成によると、透明板３２に対して原稿９０がずれて配置されても、原稿９０の中間位置で分割された２つのイメージデータを作成することができる。
【００６３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。上記の実施例の変形例を以下に列挙する。
【００６４】
（１）光源６０の位置は、実施例の位置に限定されない。光源６０は、原稿９０の読取面に光を照射することができる位置であれば、どのような位置に配置されてもよい。
【００６５】
（２）３つ以上のＤＳユニットが設けられもよい。例えば、３つのＤＳユニットを透明板３２の長辺が伸びる方向に沿って直線上に配置してもよい。また、例えば、４つのＤＳユニットを採用してもよい。この場合、透明板３２を平面視した場合に、直角四角形の各頂点にＤＳユニットが位置するように配置してもよい。この例において、２つのＤＳユニットが左側に配置されており、２つのＤＳユニットが右側に配置されている場合、以下のようにＡ３−Ａ３×２処理やＡ３−Ａ４×２処理が行なわれてもよい。即ち、左側の２つのＤＳユニットのそれぞれは、Ａ３サイズの原稿の左側の領域を撮影する。左側の２つのＤＳユニットによって作成された２つの撮影データを合成することによって、上記の実施例の第１撮影データを作成する。右側の２つのＤＳユニットのそれぞれは、Ａ３サイズの原稿の右側の領域を撮影する。右側の２つのＤＳユニットによって作成された２つの撮影データを合成することによって、上記の実施例の第２撮影データを作成する。後の処理は、上記の実施例と同様である。
【００６６】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００６７】
【図１】多機能機の斜視図を示す（カバーが閉じられている状態）。
【図２】多機能機の斜視図を示す（カバーが開かれている状態）。
【図３】透明板の平面図を示す。
【図４】多機能機の構成を簡単に示す。
【図５】図３の矢印Ｖ方向に見た図を示す。
【図６】Ａ３−Ａ３モード処理のフローチャートを示す。
【図７】Ａ４−Ａ４モード処理のフローチャートを示す。
【図８】Ａ３−Ａ３×２モード処理のフローチャートを示す。
【図９】各モードを説明するための図を示す。
【図１０】変形例を説明するための図を示す。
【符号の説明】
【００６８】
１０：多機能機
１２：ケーシング
２０：操作部
２２：表示部
２４：制御部
３０：カバー
３２：透明板
４０：第１ＤＳ（デジタルカメラ）ユニット
４４：光学系
４６：ＡＩＳ（エリアイメージセンサ）
５０：第２ＤＳ（デジタルカメラ）ユニット
５４：光学系
５６：ＡＩＳ（エリアイメージセンサ）
６０：光源
６２：印刷部
７０：記憶部
７２：プログラム記憶領域
７４：第１撮影データ記憶領域
７６：第２撮影データ記憶領域
８０：イメージデータ記憶領域
９０：原稿
【図１】
2009246620.tif 000003
【図２】
2009246620.tif 000004
【図３】
2009246620.tif 000005
【図４】
2009246620.tif 000006
【図５】
2009246620.tif 000007
【図６】
2009246620.tif 000008
【図７】
2009246620.tif 000009
【図８】
2009246620.tif 000010
【図９】
2009246620.tif 000011
【図１０】
2009246620.tif 000012